(57)【要約】【課題】  電波信号の使用が困難な環境下でも、チューブなどの有線を使用することなく、スポット照明光などを用いて乗客などの手元などを照明しつつ、音楽などを楽しませる。【解決手段】  光送信装置６から出射されるスポット照明光５に音楽情報を重畳し、スポット照明光５の照光範囲内にあるヘッドホン７の光受信装置９によって、スポット照明光５に重畳されている音楽情報を再生する。【選択図】  図１
2005322965.tif 000002
【特許請求の範囲】
【請求項１】
無線信号形式でＡＶ情報を伝送するＡＶコンテンツ伝送システムにおいて、
可視光を発光する発光ダイオードと、
入力されたＡＶ情報を変調して変調信号を生成し、前記発光ダイオードから前記変調信号に対応する可視光信号を指定領域内に出射させる送信手段と、
携帯自在に構成され、前記指定領域内に配置されたフォトダイオードによって、前記送信手段から出射された可視光信号が受光されたとき、その受光信号を電気信号に変換し、この電気信号を復調して前記ＡＶ情報を再生する受信手段と、
を備えたことを特徴とするＡＶコンテンツ伝送システム。
【発明の詳細な説明】
【技術分野】
【０００１】
本発明は、飛行機内、病院内など、電波信号の使用が規制されている場所で使用されるＡＶコンテンツ伝送システムに関する。
【背景技術】
【０００２】
無線伝送技術には、電波無線信号を用いる方法のほか、光信号を用いる方法が存在する。
【０００３】
光信号を用いる方法では、通常、人間の目に見えない、“７８０ｎｍ”、あるいは“８５０ｎｍ”の近赤外線領域に属する波長光を用いて、使用者に無線信号、無線信号伝送路などを意識させないようにしている。
【０００４】
また、照明光には、交流電流を使用する白熱球、蛍光灯などを用いたものが主流であるが、非特許文献１（日経エレクトロニクス“Ｎｏ．８４４”）などに記載されているように、直流電流によって駆動される発光ダイオードを用いたものについても、研究が進められ、実用化段階にきている。
【非特許文献１】日経エレクトロニクス“Ｎｏ．８４４”
【発明の開示】
【発明が解決しようとする課題】
【０００５】
ところで、飛行機内など、電波信号の使用が規制されている場所では、図７に示すように、乗客シート１０１の肘掛け１０２などに設けられたオーディオ出力端子にヘットホン１０３に接続されたチューブ１０４のジャックを差し込むことにより、チューブ１０４を介してオーディオ出力端子から出力される音声をヘッドホン１０３に導くことで、音楽を楽しめるようにしている。
【０００６】
しかしながら、このようなオーディオシステムでは、ヘッドホン１０３を使用している乗客の隣にいる乗客が席を立って通路側に出ようとしても、ヘッドホン１０３のチューブ１０４が邪魔になって、通路側に出られず、その都度、オーディオ出力端子からチューブ１０４のジャックを外さなければならないという不具合があった。
【０００７】
そこで、このような問題を解決することができる、使い勝手が良いＡＶコンテンツ伝送システムの開発が強く望まれていた。
【０００８】
本発明は上記の事情に鑑み、電波信号の使用が困難な環境下でも、チューブなどの有線を使用することなく、スポット照明光などを用いて、乗客などの手元などを照明しつつ、音楽などを楽しませることができるＡＶコンテンツ伝送システムを提供することを目的としている。
【課題を解決するための手段】
【０００９】
上記の目的を達成するために本発明は、無線信号形式でＡＶ情報を伝送するＡＶコンテンツ伝送システムにおいて、可視光を発光する発光ダイオードと、入力されたＡＶ情報を変調して変調信号を生成し、前記発光ダイオードから前記変調信号に対応する可視光信号を指定領域内に出射させる送信手段と、携帯自在に構成され、前記指定領域内に配置されたフォトダイオードによって、前記送信手段から出射された可視光信号が受光されたとき、その受光信号を電気信号に変換し、この電気信号を復調して前記ＡＶ情報を再生する受信手段とを備えたことを特徴としている。
【発明の効果】
【００１０】
本発明によるＡＶコンテンツ伝送システムによれば、電波信号の使用が困難な環境下でも、チューブなどの有線を使用することなく、スポット照明光などを用いて、乗客などの手元などを照明しつつ、音楽などを楽しませることができる。
【発明を実施するための最良の形態】
【００１１】
《第１の実施形態》
図１は本発明によるＡＶコンテンツ伝送システムの第１の実施の形態を示す概略構成図である。
【００１２】
この図に示すＡＶコンテンツ伝送システム１は、飛行機２内に配置された各乗客シート３の天井４側に各々、配置され、音楽情報などを含むスポット照明光５を出射する光送信装置６と、ヘッドホン７に取り付けられ、光送信装置６から出射されるスポット光５を受光して、音楽情報を再生し、ヘッドホン７を付けている乗客８に音楽を聴かせる光受信装置９とを備えており、光送信装置６によって、乗客シート３に座っている乗客８に音楽情報を含んだスポット照明光５を与えて乗客８の手元などを照明しつつ、乗客８の頭部に付けられているヘッドホン７に取り付けられた光受光装置９によって、スポット照明光５に含まれている音楽情報を再生させ、乗客８に音楽などを聴かせる。
【００１３】
光送信装置６は、図２のブロック図に示すように、音楽情報などを含む電気信号を取り込んで、予め指定された変調方式、例えば図３の回路図に示すように、ＦＭ変調器１０を用いたＦＭ変調方式で、変調してＦＭ変調信号を生成する変調部１１と、図３に示すように、電源ライン１２と接地ライン１３との間に接続された２つの抵抗１４、１５、１つの可変抵抗１６、電源ライン１２と接地ライン１３との間に接続された１つのトランジスタ１７、１つの抵抗１８によって構成され、可変抵抗１６で指定された直流バイアス電圧を生成しながら、トランジスタ１７によって、変調部１１から出力されるＦＭ変調信号を増幅し、直流バイアス電圧に重畳する信号レベル変換部１９と、図３に示すように、ソースが接地ライン１３に接続された１つの電界効果トランジスタ（ＦＥＴ）２０によって構成され、信号レベル変換部１９から出力される、ＦＭ変調信号が重畳された直流バイアス電圧に対応した直流電流を生成して、ドレインから出力する電圧／電流変換部２１と、アノードがＬＥＤ駆動電源ライン２２に接続されるとともに、カソードが電界効果トランジスタ２０のドレインに接続され、電圧／電流変換部２１から出力される直流電流に応じた光強度で、可視光範囲内の波長光を生成して、スポット照明光５を出射する有色発光ダイオード（可視光ＬＥＤ）２３とを備えている。
【００１４】
そして、音楽情報などを取り込んで、ＦＭ変調信号を生成し、可変抵抗１６によって決められた電圧値を持つ直流バイアス電圧にＦＭ変調信号を重畳するとともに、有色発光ダイオード２３から、ＦＭ変調信号を含むスポット照明光５を出射して、乗客シート３に座っている乗客８の手元などを照明しつつ、光受信装置９にスポット照明光５に含まれている音楽情報を再生する。
【００１５】
また、光受光装置９は、図２に示すように、光送信装置６から出射されるスポット照明光５を受光しているとき、スポット照明光５の強度に応じた電圧値を持つ電気信号（ＦＭ変調信号が重畳された直流バイアス電圧）を生成するフォトダイオード２４と、フォトダイオード２４から出力される電気信号の直流バイアス成分をカットしながら、ＦＭ復調を行い、音楽情報を含む電気信号（再生信号）を生成する復調部２５と、復調部２５から出力される再生信号を取り込み、予め指定された増幅率で、増幅する増幅部２６とを備えている。
【００１６】
そして、図４の説明図に示すように、光送信装置６から出射されるスポット照明光５の照光範囲内（通信可能エリア）に入っているとき、フォトダイオード２４によって、スポット照明光５を受光し、ＦＭ変調信号が重畳された直流バイアス電圧を生成しながら、復調部２５、増幅部２６によって、直流バイアス成分をカットして、ＦＭ変調信号を復調し、ヘッドホン７に設けられたスピーカから音楽を出力する。
【００１７】
この際、光受信装置９が光送信装置６からの距離が大きくなるに従い、スポット照明光５が広がって、スポット照明光５の光強度が弱くなり、復調部２５から出力される再生信号の信号レベルが小さくなることから、乗客シート３のリクライニング角度などを乗客８に調整して、光送信装置６とヘッドホン７との距離を調整するだけで、ヘッドホン７から流れてくる音楽の音量を調整することができる。
【００１８】
また、図４に示すように、光受信装置９がスポット照明光５の中心線２７から離れるに従い、図５（ａ）に示すように、スポット照明光５の光強度が弱くなることから、図４の位置“Ａ”にあるとき、図５（ｂ）に示すように、復調部２５から出力される再生信号の信号レベルが大きくなって、ヘッドホン７から流れてくる音楽の音量が大きくなり、また図４の位置“Ｂ”にあるとき、図５（ｃ）に示すように、復調部２５から出力される再生信号の信号レベルが小さくなって、ヘッドホン７から流れてくる音楽の音量が小さくなる。
【００１９】
これにより、乗客８にヘッドホンの位置、スポット照明光５の向きなどを調整するだけで、ヘッドホン７から流れてくる音楽の音量を調整することができる。
【００２０】
また、図４に示すように、光受信装置９がスポット照明光５の照光範囲（通信可能エリア）内から完全に外れたとき（図４の位置“Ｃ”にあるとき）、図５（ｄ）に示すように、復調部２５から出力される再生信号が最小になることから、乗客８にスポット照明光５の向きなどを調整して、スポット照明光５がヘッドホン７に当たらないようにするだけで、ヘッドホン７から音楽が流れないようにすることができる。
【００２１】
このように、第１の実施形態では、光送信装置６から出射されるスポット照明光５に音楽情報を重畳し、スポット照明光５の照光範囲内にあるヘッドホン７の光受信装置９によって、スポット照明光５に重畳されている音楽情報を再生するようにしているので、電波信号の使用が困難な環境下でも、チューブなどの有線を使用することなく、スポット照明光５などを用いて、乗客８などの手元などを照明しつつ、音楽などを楽しませることができる。
【００２２】
また、この際、スポット照明光５の出射方向、ヘッドホン７の位置などを調整することにより、光送信装置６から出射されるスポット照明光５と、ヘッドホン７に取り付けられた光受信装置６との位置関係を調整するだけで、ヘッドホン７から流れる音楽の音量を調整することができることから、光受信装置９側の回路構成を簡素化でき、ヘッドホン７の軽量化を実現できる。
【００２３】
《第２の実施形態》
図６は本発明の第２の実施形態を示している。
【００２４】
第１の実施形態では、可視光領域の波長で発光する有色発光ダイオード２３を用いて、スポット照明光５に音楽情報を重畳するようにしていた。
【００２５】
これに対して、第２の実施形態では、スポット光は安価で入手可能な小型の可視光発光ダイオード２８を複数個使用するとともに、光通信手段としては、光送信装置６側に不可視光領域の波長、例えば近赤外線領域の波長光を出射する不可視光発光ダイオード２９を設け、光受信装置９に近赤外線領域の波長光に対し、高い感度を持つフォトダイオードを設けるようにしたものである。そして、不可視光発光ダイオード２９から音楽情報を含む不可視スポット光３０を出射し、光受信装置９に設けられたフォトダイオードによって、これを受光して、音楽情報を再生する。
【００２６】
このように照明用の小型の発光ダイオード２８を複数、設けるとともに光通信用の不可視光発光ダイオード２９を設けることにより、照明が不要でスポット光を利用していない場合にも光通信が可能となり、音楽情報を再生することが可能となる。また、多数の照明用可視光発光ダイオード２８を駆動する駆動回路と、不可視光発光ダイオード２９を駆動する駆動回路とを分離でき、不可視光発光ダイオード２９を駆動する駆動回路側に設けられる電界効果トランジスタ１７の電流容量を抑制してコスト上昇を抑えることもできる。
【図面の簡単な説明】
【００２７】
【図１】本発明によるＡＶコンテンツ伝送システムの第１の実施形態を示す概略構成図である。
【図２】図１に示すＡＶコンテンツ伝送システムの回路構成例を示すブロック図である。
【図３】図２に示す光送信装置の回路構成例を示す回路図である。
【図４】図２に示す光送信装置から出射されるスポット照明光と光受信装置との位置関係を示す説明図である。
【図５】図２に示す光受信装置をスポット照明光範囲内外の各位置に配置したとき、復調部から出力される再生信号の一例を示す波形図である。
【図６】本発明によるＡＶコンテンツ伝送システムの第２の実施形態を示す概略構成図である。
【図７】飛行機内に設けられるオーディオシステムの概要を示す概略構成図である。
【符号の説明】
【００２８】
１：ＡＶコンテンツ伝送システム、２：飛行機、３：乗客シート、４：天井、５：スポット照明光、６：光送信装置、７：ヘッドホン、８：乗客、９：光受信装置、１０：ＦＭ変調器、１１：変調部、１２：電源ライン、１３：接地ライン、１４：抵抗、１５：抵抗、１６：可変抵抗、１７：トランジスタ、１８：抵抗、１９：信号レベル変換部、２０：電界効果トランジスタ、２１：電圧／電流変換部、２２：ＬＥＤ駆動電源ライン、２３：有色発光ダイオード、２４：フォトダイオード、２５：復調部、２６：増幅部、２７：中心線、２８：可視光発光ダイオード、２９：不可視光発光ダイオード、３０：不可視スポット光。
【図１】
2005322965.tif 000003
【図２】
2005322965.tif 000004
【図３】
2005322965.tif 000005
【図４】
2005322965.tif 000006
【図５】
2005322965.tif 000007
【図６】
2005322965.tif 000008
【図７】
2005322965.tif 000009